(57)【特許請求の範囲】
【請求項１】
通信網への加入者の携帯端末を識別するための端末識別情報と、前記携帯端末が新規に利用する前記通信網でのサービスを示す新規契約種別と、前記携帯端末が利用する前記通信網でのサービスを示す契約情報と、を関連付けて保持する契約情報保持部と、
前記サービスと、前記サービスを利用するために必要なアプリケーションを前記携帯端末が取得するためのアクセス先を示すアクセス先情報と、を関連付けて保持するアクセス先情報保持部と、
前記携帯端末から前記端末識別情報を受信する端末識別情報受信部と、
前記契約情報保持部が前記新規契約種別を保持した際に、前記携帯端末に、前記端末識別情報受信部への前記端末識別情報の送信を促すための通知を行う通知部と、
前記端末識別情報受信部が受信した前記端末識別情報に関連付けられている前記新規契約種別を前記契約情報保持部から取得し、取得した前記新規契約種別と関連付けられている前記アクセス先情報を前記アクセス先情報保持部から取得するアクセス先情報取得部と、
取得した前記アクセス先情報を前記携帯端末に送信するアクセス先情報送信部と、
を有することを特徴とするアプリケーション提供システム。
【請求項２】
前記新規契約種別は、前記加入者が新規に契約したサービスを示す情報、又は前記携帯端末に備えられるＳＩＭカード（Subscriber Identity Module Card）が差し替えられたことにより前記携帯端末が新規に利用する前記サービスを示す情報である
ことを特徴とする請求項１に記載のアプリケーション提供システム。
【請求項３】
前記端末識別情報と前記新規契約種別とを前記契約情報保持部に送信する契約情報管理部をさらに有する
ことを特徴とする請求項１又は２に記載のアプリケーション提供システム。
【請求項４】
前記通知部は、受信したＩＭＥＩが付された前記携帯端末が使用されているか否かの判定を行い、該携帯端末が使用されていると判定した場合には、該携帯端末にアプリケーションを更新すべき旨の通知を行う
ことを特徴とする請求項１から３のいずれか一項に記載のアプリケーション提供システム。
【請求項５】
前記携帯端末は、アプリケーションを実行可能な携帯電話機であり、
前記端末識別情報は、ＭＳＩＳＤＮ（Mobile Subscriber Integrated Services Digital Network Number）である
ことを特徴とする請求項１から４のいずれか一項に記載のアプリケーション提供システム。
【請求項６】
前記携帯端末は、
前記通知部からの前記通知に応じて、自端末の前記端末識別情報を前記端末識別情報受信部に送信する端末識別情報送信部と、
前記アクセス先情報送信部から送信される前記アクセス先情報を用いて前記サービスを利用するために必要なアプリケーションを取得するアプリケーション取得部と、
を有することを特徴とする請求項１から５のいずれか一項に記載のアプリケーション提供システム。
【請求項７】
通信網への加入者の携帯端末を識別するための端末識別情報に基づいて、前記加入者の携帯端末に対して前記携帯端末で実行可能なアプリケーションをインストールさせるシステムが実行するアプリケーション提供方法であって、
前記端末識別情報および前記携帯端末が利用する前記通信網でのサービスを示す契約情報を関連付けて保持する契約情報保持部が、前記携帯端末が新規に利用する前記通信網でのサービスを示す新規契約種別を、前記端末識別情報に関連付けて保持する新規契約種別保持ステップと、
前記契約情報保持部が前記新規契約種別を保持した際に、前記加入者の携帯端末に、端末識別情報受信部への前記端末識別情報の送信を促すための通知を行う通知ステップと、
前記端末識別情報受信部が、前記通知に応じて前記加入者の携帯端末から前記端末識別情報を受信する端末識別情報受信ステップと、
アクセス先情報取得部が、前記端末識別情報受信ステップで受信された前記端末識別情報に関連付けられている前記新規契約種別を前記契約情報保持部から取得し、取得した前記新規契約種別と関連付けられているアクセス先情報を、前記サービスおよび前記サービスを利用するために必要なアプリケーションを前記携帯端末が取得するためのアクセス先を示すアクセス先情報に関連付けて保持するアクセス先情報保持部から取得するアクセス先情報取得ステップと、
アクセス先情報送信部が、前記端末識別情報受信ステップで取得された前記アクセス先情報を前記携帯端末に送信するアクセス先情報送信ステップと、
を含むことを特徴とするアプリケーション提供方法。
【発明の詳細な説明】
【技術分野】
【０００１】
本発明は、アプリケーションソフトウェア（以下、「アプリケーション」と略称する）を実行可能な携帯端末にソフトウェアをインストールする技術に関する。
【背景技術】
【０００２】
近年、スマートフォンと呼ばれる携帯端末が存在する。スマートフォンは、携帯電話機の音声通話機能と、ＰＤＡ（Personal Digital Assistant）のような多機能なアプリケーションを実行する機能とを持ち合わせた携帯型端末装置である。スマートフォンを購入したユーザはサービスを受けるために、まず、通信事業者のショップなどでサービス契約を行う。
この場合、ユーザは通信事業者とサービス契約を済ませるだけでは所望のサービスを受けることができず、そのサービスに必要なアプリケーションを自分で探してスマートフォンにインストールする必要がある（例えば、特許文献１）。
【０００３】
また、最近では、携帯電話機に他の通信事業者のＳＩＭカード（Subscriber Identity Module Card）を挿入して、他の通信事業者の通信網で携帯電話機を使用できるようにする、いわゆるＳＩＭロック解除に対応する通信事業者もある。スマートフォンのＳＩＭカードを差し替えた場合も、サービスを新規に契約する場合と同様に、所望のサービスを受けるために必要なアプリケーションをスマートフォンにダウンロードする必要がある。
【先行技術文献】
【特許文献】
【０００４】
【特許文献１】特開平０７−２２５７２３号公報
【発明の概要】
【発明が解決しようとする課題】
【０００５】
ところで、アプリケーションのダウンロードは、例えばスマートフォンがAndroidマーケット（登録商標）のようなコンテンツ販売サイトにアクセスすることによって行われる。しかしながら、コンテンツ販売サイトでは沢山のソフトウェアを販売しているため、ユーザはこれらの中から契約したサービスに必要なアプリケーションを探し出す必要があった。このような作業はユーザにとっては、非常に煩雑な作業となる。また、携帯端末においては複雑な処理が実行されることとなり、処理負荷がかかっていた。
【０００６】
本発明は、上記課題に鑑みてなされたものであり、アプリケーションを実行可能な携帯端末を使用するユーザが、通信事業者から所望のサービスを受けるために必要なアプリケーションを携帯端末にインストールする際に、処理負荷の少ない、簡易な処理にてインストールできるシステムを提供することを目的とする。
【課題を解決するための手段】
【０００７】
上記課題を解決するために、本発明の一態様は、通信網への加入者の携帯端末を識別するための端末識別情報と、前記携帯端末が新規に利用する前記通信網でのサービスを示す新規契約種別と、前記携帯端末が利用する前記通信網でのサービスを示す契約情報と、を関連付けて保持する契約情報保持部と、前記サービスと、前記サービスを利用するために必要なアプリケーションを前記携帯端末が取得するためのアクセス先を示すアクセス先情報と、を関連付けて保持するアクセス先情報保持部と、前記携帯端末から前記端末識別情報を受信する端末識別情報受信部と、前記契約情報保持部が前記新規契約種別を保持した際に、前記携帯端末に、前記端末識別情報受信部への前記端末識別情報の送信を促すための通知を行う通知部と、前記端末識別情報受信部が受信した前記端末識別情報に関連付けられている前記新規契約種別を前記契約情報保持部から取得し、取得した前記新規契約種別と関連付けられている前記アクセス先情報を前記アクセス先情報保持部から取得するアクセス先情報取得部と、取得した前記アクセス先情報を前記携帯端末に送信するアクセス先情報送信部とを有するアプリケーション提供システムである。
【０００８】
この構成によれば、アプリケーションを実行可能な携帯端末を使用するユーザは、携帯端末に送信されるアクセス先情報を利用して、通信事業者の所望のサービスを受けるために必要なアプリケーションを簡単にインストールすることができる。つまり、携帯端末においても、簡易な処理で通信事業者のサービスを利用するためのアプリケーションがインストールされるため、処理負荷が軽減される。また、この構成によれば、携帯端末が通信事業者と新規サービスの契約を行った場合やユーザが携帯端末にＳＩＭカードを差し替えて新たな通信事業者のサービスを受ける場合、ユーザは携帯端末に送信されるアクセス先情報を利用して、サービスを受けるために必要なアプリケーションを簡単にインストールすることができる。
【０００９】
また、本発明の他の態様は、前記新規契約種別は、前記加入者が新規に契約したサービスを示す情報、又は前記携帯端末に備えられるＳＩＭカード（Subscriber Identity Module Card）が差し替えられたことにより前記携帯端末が新規に利用する前記サービスを示す情報であることを特徴とするアプリケーション提供システムである。
【００１０】
この構成によれば、携帯端末が通信事業者と新規サービスの契約を行った場合やユーザが携帯端末にＳＩＭカードを差し替えて新たな通信事業者のサービスを受ける場合、ユーザは携帯端末に送信されるアクセス先情報を利用して、サービスを受けるために必要なアプリケーションを簡単にインストールすることができる。
【００１１】
また、本発明の他の態様は、前記端末識別情報と前記新規契約種別とを前記契約情報保持部に送信する契約情報管理部をさらに有するアプリケーション提供システムである。
この構成によれば、携帯端末が通信事業者と新規サービスの契約を行った場合やユーザが携帯端末にＳＩＭカードを差し替えて新たな通信事業者のサービスを受ける場合、ユーザは携帯端末に送信されるアクセス先情報を利用して、サービスを受けるために必要なアプリケーションを簡単にインストールすることができる。
【００１２】
また、本発明の他の態様は、前記通知部は、受信したＩＭＥＩが付された前記携帯端末が使用されているか否かの判定を行い、該携帯端末が使用されていると判定した場合には、該携帯端末にアプリケーションを更新すべき旨の通知を行うことを特徴とするアプリケーション提供システムである。
また、本発明の他の態様は、前記携帯端末は、アプリケーションを実行可能な携帯電話機であり、前記端末識別情報は、ＭＳＩＳＤＮ（Mobile Subscriber Integrated Services Digital Network Number）であることを特徴とするアプリケーション提供システムである。
この構成によれば、ユーザがスマートフォン等の通話機能を有する携帯端末にＳＩＭカードを差し替えて新たな通信事業者のサービスを受ける場合、ユーザは携帯端末に送信されるアクセス先情報を利用して、サービスを受けるために必要なアプリケーションを簡単にインストールすることができる。
【００１３】
また、本発明の他の態様は、前記携帯端末は、前記通知部からの前記通知に応じて、自端末の前記端末識別情報を前記端末識別情報受信部に送信する端末識別情報送信部と、前記アクセス先情報送信部から送信される前記アクセス先情報を用いて前記サービスを利用するために必要なアプリケーションを取得するアプリケーション取得部と、を有することを特徴とするアプリケーション提供システムである。
この構成によれば、アプリケーションを実行可能な携帯端末を使用するユーザは、携帯端末に送信されるアクセス先情報を利用して、通信事業者の所望のサービスを受けるために必要なアプリケーションを簡単にインストールすることができる。
【００１４】
また、本発明の他の態様は、通信網への加入者の携帯端末を識別するための端末識別情報に基づいて、前記加入者の携帯端末に対して前記携帯端末で実行可能なアプリケーションをインストールさせるシステムが実行するアプリケーション提供方法であって、前記端末識別情報および前記携帯端末が利用する前記通信網でのサービスを示す契約情報を関連付けて保持する契約情報保持部が、前記携帯端末が新規に利用する前記通信網でのサービスを示す新規契約種別を、前記端末識別情報に関連付けて保持する新規契約種別保持ステップと、前記契約情報保持部が前記新規契約種別を保持した際に、前記加入者の携帯端末に、端末識別情報受信部への前記端末識別情報の送信を促すための通知を行う通知ステップと、前記端末識別情報受信部が、前記通知に応じて前記加入者の携帯端末から前記端末識別情報を受信する端末識別情報受信ステップと、アクセス先情報取得部が、前記端末識別情報受信ステップで受信された前記端末識別情報に関連付けられている前記新規契約種別を前記契約情報保持部から取得し、取得した前記新規契約種別と関連付けられているアクセス先情報を、前記サービスおよび前記サービスを利用するために必要なアプリケーションを前記携帯端末が取得するためのアクセス先を示すアクセス先情報に関連付けて保持するアクセス先情報保持部から取得するアクセス先情報取得ステップと、アクセス先情報送信部が、前記端末識別情報受信ステップで取得された前記アクセス先情報を前記携帯端末に送信するアクセス先情報送信ステップと、を含むアプリケーション提供方法である。
【００１５】
この構成によれば、アプリケーションを実行可能な携帯端末を使用するユーザは、携帯端末に送信されるアクセス先情報を利用して、通信事業者の所望のサービスを受けるために必要なアプリケーションを簡単にインストールすることができる。つまり、携帯端末においても、簡易な処理で通信事業者のサービスを利用するためのアプリケーションがインストールされるため、処理負荷が軽減される。
【発明の効果】
【００１６】
本発明の一態様によれば、アプリケーションを実行可能な携帯端末を使用するユーザは、携帯端末に送信されるアクセス先情報を利用して、通信事業者の所望のサービスを受けるために必要なアプリケーションを簡単にインストールすることができる。つまり、携帯端末においても、簡易な処理で通信事業者のサービスを利用するためのアプリケーションがインストールされるため、処理負荷が軽減される。
【図面の簡単な説明】
【００１７】
【図１】本発明の第一の実施形態に係るアプリケーション提供システムの概要を示す図である。
【図２】本発明の第一の実施形態に係るアプリケーション提供システムの構成例を示すブロック図である。
【図３】契約情報保持部１０１が保持する契約情報の具体例を示す図である。
【図４】アクセス先情報保持部１０２が保持するアクセス先情報の具体例を示す図である。
【図５】本発明の第一の実施形態に係るアプリケーション提供システムにおける処理の一例を示すシーケンス図である。
【図６】本発明の第一の実施形態に係るアプリケーション提供システムにおける処理の一例を示すシーケンス図である。
【図７】本発明の第二の実施形態に係るアプリケーション提供システムの概要を示す図である。
【図８】本発明の第二の実施形態に係るアプリケーション提供システムにおける処理の一例を示すシーケンス図である。
【図９】本発明の第二の実施形態に係るアプリケーション提供システムにおける処理の一例を示すシーケンス図である。
【図１０】アクセス先情報保持部１０２に保持されているアクセス先情報の登録方法を示す図である。
【発明を実施するための形態】
【００１８】
以下、本発明の実施形態について、図面を参照しながら説明する。なお、以下の説明において参照する各図では、他の図と同等部分は同一符号によって示す。
（第１実施形態）
本実施形態に係るアプリケーション提供システムは、携帯端末のユーザが新規に通信事業者とサービス契約をした場合や、携帯端末のＳＩＭカードを差し替えた場合に、システム側からユーザの携帯端末に対して、必要なアプリケーションのダウンロードを促すものである。
【００１９】
（アプリケーション提供システムの概要）
図１は、本実施形態に係るアプリケーション提供システムの概要を示す図である。図１では、一例として、スマートフォンに代表される携帯電話機のアプリケーションを実行可能な携帯電話機のユーザが、新規に携帯電話網の通信事業者とサービス契約をした場合について示す。
ユーザが通信事業者のショップやインターネットのサイトから新規のサービス契約のための手続きを行うと、顧客管理システム１は、そのユーザの契約内容とともに、加入者データベース２にＳＭＳ（Short Message Service）送信によるメッセージの送信を要求する（Ｓ１）。なお、加入者データベース２は、通信事業者と契約している携帯端末のＭＳＩＳＤＮ（Mobile Subscriber Integrated Services Digital Network Number）と、その携帯端末が契約中のサービス内容を保持する装置である。
【００２０】
加入者データベース２は顧客管理システム１から新規契約の携帯端末のＭＳＩＳＤＮとサービス内容とを受信して記録保持する。そして、加入者データベース２は、ＳＭＳＣ（ショートメッセージサービスセンタ）３と加入者交換機４を介して、新規契約したユーザの携帯端末５に対して、契約したサービスを受けるために必要なアプリケーションについての通知を行う（Ｓ２）。
通知を受け取った携帯端末５は、パケット交換機６を介して管理サーバ７へアクセスし、自端末のＭＳＩＳＤＮを送信する（Ｓ３）。管理サーバ７は、加入者データベース２に対して、携帯端末５から受信したＭＳＩＳＤＮを問い合わせ、携帯端末５が契約しているサービス内容を取得する（Ｓ４）。
【００２１】
また、加入者データベース２には、各サービスに必要なアプリケーションのダウンロード先のＵＲＬ等が保存されている。加入者データベース２は、受信したＭＳＩＳＤＮに関連付けられている（すなわち、携帯端末５が新規契約した）サービスに必要なアプリケーションのダウンロード先を判定する（Ｓ５）。そして、管理サーバ７は、このアプリケーションのダウンロード先のＵＲＬ等を携帯端末５に通知する（Ｓ６）。なお、アプリケーションのダウンロード先のＵＲＬ等とは、例えばAndroidマーケット（登録商標）のようなコンテンツ販売サイト８のＵＲＬ等である。
携帯端末５は管理サーバ７から通知されたダウンロード先を利用してコンテンツ販売サイト８にアクセスし（Ｓ７）、新規契約したサービスに必要なアプリケーションをダウンロードする（Ｓ８）。
【００２２】
（アプリケーション提供システムの構成）
図２は、本実施形態に係るアプリケーション提供システムの構成例を示す図である。
本実施形態に係るアプリケーション提供システムは、契約情報保持部１０１、アクセス先情報保持部１０２、端末識別情報受信部１０３、アクセス先情報取得部１０４、アクセス先情報送信部１０５、通知部１０６、契約情報管理部１０７、および携帯端末５を含んで構成される。
【００２３】
なお、本実施形態においては、契約情報保持部１０１およびアクセス先情報保持部１０２は、例えば図１の加入者データベース２を構成する。端末識別情報受信部１０３、アクセス先情報取得部１０４、およびアクセス先情報送信部１０５は、例えば図１の管理サーバを構成する。契約情報管理部１０７は、例えば図１の顧客管理システム１を構成する。通知部１０８は、例えば図１のＳＭＳ−ＰＵＳＨ基盤（ＳＭＳＣ３および加入者交換機４。以下同様。）を構成する。ただし、これに限らず、各構成の機能は様々な装置構成によって実現することが可能である。
【００２４】
契約情報保持部１０１は、通信事業者の通信網への加入者の携帯端末５を識別する端末識別情報と、携帯端末５が利用する通信網でのサービスを示す契約情報とを関連付けて保持する。また、本実施形態においては、契約情報保持部１０１は、端末識別情報に、携帯端末５が新規に利用する通信網でのサービスを示す新規契約種別も関連付けて保持する。
ここで、「通信網でのサービス」とは、通信事業者のサービス提供用サーバ装置等から通信網を通じて、通信事業者と契約している携帯端末に対して提供されるサービスである。具体的には、例えば、スマートフォン等の通話機能を有する携帯端末にインストールされるAndroid（登録商標）等の専用ＯＳ（Operating System）上で動作するアプリケーションを使用することで利用可能となるサービスである。
【００２５】
さらに具体的には、例えば、契約している携帯端末へ提供される留守番電話サービス、転送電話サービス、携帯端末の遠隔ロックサービス、ウィルス監視サービス等のサービスや、通信事業者がＩＳＰ（Internet Services Provider）上のサービスとして提供しているもの（例えばＰＵＳＨ側コンテンツ配信サービス、ユーザの行動支援サービス等）が挙げられる。
【００２６】
端末識別情報は、具体的には、例えば、ＭＳＩＳＤＮである。新規契約種別は、携帯端末５のユーザが通信事業者のショップ等で新規に契約したサービスを示す情報であってもよいし、例えば、携帯端末５に備えられるＳＩＭカードが差し替えられたことにより、ＳＩＭカードが差し替えられる前と異なる通信事業者の通信網において携帯端末５が新規に利用するサービスを示すもの等であってもよい。
【００２７】
図３は、契約情報保持部１０１が保持する契約情報の具体例を示す図である。図３に示されるように、契約情報保持部１０１は、ＭＳＩＳＤＮと、新規契約種別と、契約情報とを関連付けて保持している。
「ＭＳＩＳＤＮ」は、携帯電話網において加入者を一意に識別する番号であり、一般的な電話番号である。ＭＳＩＳＤＮはＳＩＭカードに記録されているＩＭＳＩ（International Mobile Subscriber Identity）と１対１に対応するように割り当てられる。
【００２８】
「新規契約種別」は、携帯端末５のユーザが通信事業者と新規に契約して利用することになったサービスや、携帯端末５のＳＩＭカードが差し替えられたことによって通信事業者の通信網において携帯端末５のユーザが利用するサービス等を示す。
「契約情報」は、携帯端末５のユーザが契約済みで利用中のサービス等を示す。なお、「新規契約種別」に一旦保持されたサービス内容は、あらかじめ定められたタイミングで「契約情報」のほうに加えられる。例えば、図１に示されるように、新規サービスを契約した携帯端末５から管理サーバへのアクセス（Ｓ３）が行われて管理サーバ７が必要なアプリケーションの情報を取得した後（Ｓ４）などのタイミングで、加入者データベース２が「新規契約種別」に記録されているサービスを「契約情報」に記録するようになっていてもよい。
【００２９】
なお。図３の例では、新規契約種別と契約情報においては、サービスを識別する識別番号（識別子）によってサービスを特定している。
図２に戻り、アクセス先情報保持部１０２は、通信網におけるサービスと、携帯端末５がサービスを利用するために必要なアプリケーションを取得するためのアクセス先を示すアクセス先情報とを関連付けて保持する。アクセス先とは、具体的には、例えばアプリケーションを販売しているサイトのＵＲＬやアドレス等が該当する。
【００３０】
図４は、アクセス先情報保持部１０２が保持するアクセス先情報の具体例を示す図である。図４に示されるように、アクセス先情報保持部１０２は、サービス（識別子）と、各サービスに必要なアプリケーションの取得先ＵＲＬ等のアクセス先情報とを関連付けて保持している。
図２に戻り、端末識別情報受信部１０３は、携帯端末５から端末識別情報を受信する。本実施形態においては、一例として、端末識別情報はＭＳＩＳＤＮであるとする。
【００３１】
アクセス先情報取得部１０４は、端末識別情報受信部１０３が受信した端末識別情報に関連付けられている契約情報を契約情報保持部１０１から取得し、取得した契約情報と関連付けられているアクセス先情報をアクセス先情報保持部１０２から取得する。本実施形態においては、アクセス先情報取得部１０４は、契約情報として新規契約種別を契約情報保持部１０１から取得し、取得した新規契約種別と関連付けられているアクセス先情報をアクセス先情報保持部１０２から取得する。
【００３２】
アクセス先情報取得部１０４は、具体的には以下のようにしてアクセス先情報を取得する。例えば、端末識別情報受信部１０３が受信した携帯端末５の端末識別情報（ＭＳＩＳＤＮ）が“XXXX”であったとする。この場合、まず、アクセス先情報取得部１０４は加入者データベース２にＭＳＩＳＤＮ＝“XXXX”を送信する。加入者データベース２は、契約情報保持部１０１が保持する図３の情報を参照する。そして、ＭＳＩＳＤＮ＝“XXXX”に関連付けられている新規契約種別＝“1,2”を取得する。
【００３３】
さらに、取得した新規契約種別＝“1,2”を検索キーとして、アクセス先情報保持部１０２が保持する図４の情報を参照する。そして、サービス＝“1”と“2”にそれぞれ関連付けられているＵＲＬ＝“URL1”、“URL2”を取得する。その後、取得したＵＲＬをアクセス先情報取得部１０４に送信する。以上のような処理により、アクセス先情報取得部１０４は、携帯端末５に送信すべきアクセス先情報を取得する。なお、本例は一例であり、アクセス先情報取得部１０４の動作は本例に限定されない。
【００３４】
アクセス先情報送信部１０５は、アクセス先情報取得部１０４が取得したアクセス先情報を携帯端末５に送信する
通知部１０６は、契約情報保持部１０１が新規契約種別を保持した際に、携帯端末５に、端末識別情報受信部１０３への端末識別情報の送信を促すための通知を行う。「端末識別情報受信部１０３への端末識別情報の送信を促すための通知」とは、具体的には例えば、“契約したサービスを利用するためにはアプリケーションのダウンロードが必要です”、“アプリケーションをダウンロードして下さい”等、アプリケーションのダウンロードを促すようなメッセージを携帯端末５のディスプレイに表示させるための表示データを携帯端末５に送信すること等が該当する。
【００３５】
さらに、携帯端末５が端末識別情報を送信しやすくするために、端末識別情報受信部１０３へ接続するためのＵＲＬ等を携帯端末５に送信してもよい。これによりユーザがディスプレイに表示されたＵＲＬ等を操作キー等の入力装置で選択操作すると、端末識別情報（ＭＳＩＳＤＮ）が自動的に端末識別情報受信部１０３に送信されるようになっていてもよい。
契約情報管理部１０７は、携帯端末５が新規にサービス契約した際に、端末識別情報と新規契約種別とを契約情報保持部１０１に送信する。なお、契約情報保持部１０１は、この契約情報管理部１０７から送信された端末識別情報と新規契約種別とを関連付けて保持する（図３）。
【００３６】
（携帯端末５の構成）
携帯端末５は、例えばスマートフォンに代表される通話機能を有するとともにアプリケーションを実行可能な携帯電話機である。図２に示されるように、携帯端末５は、端末識別情報送信部２０１およびアプリケーション取得部２０２を備える。
端末識別情報送信部２０１は、自端末の端末識別情報を端末識別情報受信部１０３に送信する。例えば、新規にサービス契約した後に、携帯端末５が通知部１０６から端末識別情報受信部１０３へ接続するためのＵＲＬ等を受信すると、このＵＲＬ等をディスプレイに表示する。そして、携帯端末５のユーザが操作キー等の入力装置で表示されたＵＲＬ等を選択操作すると、端末識別情報送信部２０１は、携帯端末５の端末識別情報（ＭＳＩＳＤＮ等）を自動的に端末識別情報受信部１０３に送信するようになっていてもよい。
【００３７】
アプリケーション取得部２０２は、アクセス先情報送信部から送信されるアクセス先情報を用いてサービスを利用するために必要なアプリケーションを取得する。
なお、上記に説明したアプリケーション提供システムは、図示しないＣＰＵ（Central  Processing  Unit）、ＲＡＭ（Random  Access  Memory）等のメモリ、ハードディスク等の記憶装置、ネットワークインターフェイス等の一般的なコンピュータの構成と同様の構成により実現される。また、上記に説明した各構成の機能は、例えば、ＣＰＵがハードディスク等に記憶されているプログラムを読み出して実行することによって実現される機能である。また、契約情報保持部１０１およびアクセス先情報保持部１０２は、ハードディスク等の記憶装置に設けられたデータ記憶領域であり、記憶する情報をデータベース等の形式で記憶して保持する。
【００３８】
（アプリケーション提供システムの処理シーケンス）
以下、図５および図６に示すシーケンス図を参照して、本実施形態に係るアプリケーション提供システムにおける処理について説明する。
（処理シーケンス１）
図５は、通信事業者のショップ等において携帯端末５のユーザが新規にサービス契約を行った場合における処理の一例を示す。
通信事業者のショップ等において携帯端末５のユーザが新規にサービス契約を行うと、通信事業者のショップ等の店員が顧客管理用端末を操作する。すると、新規契約情報が顧客管理用端末から顧客管理システム１に送信される。顧客管理システム１の契約情報管理部１０７は、この新規契約情報を受信すると（ステップＳ１０１）、受信した新規契約情報を加入者データベース２に送信する（ステップＳ１０２）。なお、この新規契約情報には、契約した携帯端末５のＭＳＩＳＤＮ、ＩＭＥＩ、新規契約種別が含まれる。
【００３９】
加入者データベース２の契約情報保持部１０１は、加入者データベース２から送信された新規契約情報を受信して自装置のハードディスク等に記録して保持する（ステップＳ１０３）。そして、ＨＴＴＰ（Hypertext Transfer Protocol）プロトコルのＳＭＳ−Ｐｕｓｈ機能により、携帯端末５のＭＳＩＳＤＮおよびＩＭＥＩをＳＭＳ−ＰＵＳＨ基盤に送信する（ステップＳ１０４）。
【００４０】
ＳＭＳ−ＰＵＳＨ基盤は、受信したＩＭＥＩが付された携帯端末５が使用されているか判定を行う（ステップＳ１０５）。使用されていると判定した場合には、ＳＭＳ−ＰＵＳＨ基盤の通知部１０８は、携帯端末５にアプリケーションを更新すべき旨の通知を行う（ステップＳ１０６）。
携帯端末５の端末識別情報送信部２０１は、ＳＭＳ−ＰＵＳＨ基盤の通知部１０８からの通知を受信すると、管理サーバ７に接続して自端末のＭＳＩＳＤＮを送信する（ステップＳ１０７）。また、管理サーバ７の端末識別情報受信部１０３は、送信されたＭＳＩＳＤＮを受信する。
【００４１】
管理サーバ７のアクセス先情報取得部１０４は、受信したＭＳＩＳＤＮを加入者データベース２に送信する（ステップＳ１０８）。加入者データベース２は、受信したＭＳＩＳＤＮを検索キーとして契約情報保持部１０１が保持する契約情報を参照して、このＭＳＩＳＤＮに関連付けられている「新規契約種別」を取得する。そして、取得した「新規契約種別」を検索キーとしてアクセス先情報保持部１０２が保持するアクセス先情報を参照して、サービスに必要なアプリケーションをダウンロードするための接続先ＵＲＬを取得する（ステップＳ１０９）。なお、ここで取得される接続先ＵＲＬのアクセス先情報は複数であってもよい。
【００４２】
また、加入者データベース２は、取得した接続先ＵＲＬを管理サーバ７のアクセス先情報取得部１０４に送信する（ステップＳ１１０）。そして、管理サーバ７のアクセス先情報送信部１０５は、アクセス先情報取得部１０４が取得した接続先ＵＲＬをＨＴＴＰのＳＭＳ−Ｐｕｓｈ機能により携帯端末５に送信する（ステップＳ１１１）。
携帯端末５のアプリケーション取得部２０２は、管理サーバ７から送信された接続先ＵＲＬを利用してコンテンツ販売サイト８のダウンロードサーバ装置に接続し（ステップＳ１１２）、サービスを利用するために必要なアプリケーションをダウンロードする（ステップＳ１１３）。
【００４３】
なお、ステップＳ１１２で携帯端末５がコンテンツ販売サイト８のダウンロードサーバ装置に接続する際、任意に選択したダウンロード先のみに接続するようになっていてもよい。例えば、携帯端末５はステップＳ１１１で複数の接続先ＵＲＬを含むＵＲＬリストを受信して自端末のディスプレイに表示する。そして、ユーザが操作キー等の入力装置でダウンロードしたい接続先ＵＲＬを選択すると、選択されたコンテンツ販売サイトのダウンロードサーバ装置に接続するようになっていてもよい。
また、加入者データベース２では、携帯端末５の契約情報の更新を行う（ステップＳ１１４）。具体的には、例えば契約情報保持部１０１に保持されている「新規契約種別」の内容を「契約情報」に追加する処理を行う。そして、顧客管理システム１に応答を返す（ステップＳ１１５）。
【００４４】
（処理シーケンス２）
図６は、他の携帯端末のＳＩＭカードが携帯端末５に差し替えられた場合における処理の一例を示す。
例えば、ＩＭＥＩ＝“α”である携帯端末５’にＩＭＳＩ＝“Ａ”が記録されているＳＩＭカードが挿入されて使用されている場合（ＳＴ１）、加入者データベース２は、携帯端末５’の端末情報として、「ＩＭＳＩ＝“Ａ”、ＩＭＥＩ＝“α”」を保持している（ステップＳ１２１）。ここで、ＳＩＭカード（ＩＭＳＩ：Ａ）がＩＭＥＩ＝“β”である携帯端末５に差し替えられたとする（ＳＴ２）。
【００４５】
すると、携帯端末５から加入者データベース２への位置登録処理が実行される（ステップＳ１２２）。この時、「ＩＭＳＩ＝“Ａ”、ＩＭＥＩ＝“β”」の情報が携帯端末５から加入者データベース２へ送信される。加入者データベース２は、この位置登録により、ＳＩＭカードが差し替えられたことを検出し、自装置に保持している端末情報を「ＩＭＳＩ＝“Ａ”、ＩＭＥＩ＝“β”」に変更する（ステップＳ１２３）。
【００４６】
また、加入者データベース２はこれを機にＳＭＳ−ＰＵＳＨ基盤を介して、携帯端末５にＳＭＳ−ＰＵＳＨ送信を行い、携帯端末５にアプリケーションの更新をすべき旨の通知（管理サーバ７へのＵＲＬ等の送信）を行う（ステップＳ１２４）。なお、図６においてはＳＭＳ−ＰＵＳＨ基盤は図示していないが、ステップＳ１２４の処理は、図５のステップＳ１０４〜Ｓ１０６での処理と同様である。
アプリケーションの更新をすべき旨の通知を受信した携帯端末５は、管理サーバ７に自端末のＭＳＩＳＤＮを送信する（ステップＳ１２５）。なお、この処理は図５のステップＳ１０７での処理と同様である。以降、図５のステップＳ１０８〜Ｓ１１３での処理と同様の処理が実行される。
【００４７】
（本実施形態の効果）
本実施形態に係るアプリケーション提供システムによれば、携帯端末５が通信事業者と新規サービスの契約を行った場合や、ＳＩＭカードを差し替えることによって、携帯端末５が新たな通信事業者のサービスを利用する場合に、サービスを利用するために必要なアプリケーションを複雑な操作を省いて簡単に入手することができる。つまり、携帯端末においても、簡易な処理で通信事業者のサービスを利用するためのアプリケーションがインストールされるため、処理負荷が軽減される。
【００４８】
（第２実施形態）
本実施形態に係るアプリケーション提供システムは、携帯端末のユーザが通信事業者とすでにサービス契約をしている場合や、携帯端末のＳＩＭカードを差し替えた場合に、ユーザ側から自発的に必要なアプリケーションのダウンロードを行うものである。なお、本実施形態のアプリケーション提供システムの構成は、第１実施形態のアプリケーション提供システムの構成と同様である。
【００４９】
（アプリケーション提供システムの概要）
図７は、本実施形態に係るアプリケーション提供システムの概要を示す図である。
通信事業者と契約しているユーザによって操作される携帯端末５は、パケット交換機６を介して管理サーバ７へアクセスし、自端末のＭＳＩＳＤＮを送信する（Ｓ１１）。管理サーバ７は、加入者データベース２に対して、携帯端末５から受信したＭＳＩＳＤＮを問い合わせ、携帯端末５が契約しているサービス内容を取得する（Ｓ１２）。
【００５０】
加入者データベース２は、受信したＭＳＩＳＤＮに関連付けられている（すなわち、携帯端末５が契約している）サービスに必要なアプリケーションのダウンロード先を判定する（Ｓ１３）。そして、管理サーバ７は、このアプリケーションのダウンロード先のＵＲＬ等を携帯端末５に通知する（Ｓ１４）。なお、アプリケーションのダウンロード先のＵＲＬ等とは、例えばAndroidマーケット（登録商標）のようなコンテンツ販売サイト８のＵＲＬ等である。
携帯端末５は管理サーバ７から通知されたダウンロード先を利用してコンテンツ販売サイト８にアクセスし（Ｓ１５）、契約しているサービスに必要なアプリケーションをダウンロードする（Ｓ１６）。
【００５１】
（アプリケーション提供システムの処理シーケンス）
以下、図８および図９に示すシーケンス図を参照して、本実施形態に係るアプリケーション提供システムにおける処理について説明する。
（処理シーケンス１）
図８は、携帯端末５のユーザが契約中のサービスを利用するために必要なアプリケーションを自発的にダウンロードするための操作を行う場合における処理の一例を示す。
ユーザが携帯端末５の操作キー等の入力装置を操作して管理サーバ７に接続すると、携帯端末５の端末識別情報送信部２０１は、管理サーバ７に自端末のＭＳＩＳＤＮを送信する（ステップＳ２０１）。また、管理サーバ７の端末識別情報受信部１０３は、送信されたＭＳＩＳＤＮを受信する。
【００５２】
管理サーバ７のアクセス先情報取得部１０４は、受信したＭＳＩＳＤＮを加入者データベース２に送信する（ステップＳ２０２）。加入者データベース２は、受信したＭＳＩＳＤＮを検索キーとして契約情報保持部１０１が保持する契約情報を参照して、このＭＳＩＳＤＮに関連付けられている「契約情報」を取得する。そして、取得した「契約情報」を検索キーとしてアクセス先情報保持部１０２が保持するアクセス先情報を参照して、サービスに必要なアプリケーションをダウンロードするための接続先ＵＲＬを取得する（ステップＳ２０３）。なお、ここで取得される接続先ＵＲＬのアクセス先情報は複数であってもよい。
【００５３】
また、加入者データベース２は、取得した接続先ＵＲＬを管理サーバ７のアクセス先情報取得部１０４に送信する（ステップＳ２０４）。そして、管理サーバ７のアクセス先情報送信部１０５は、アクセス先情報取得部１０４が取得した接続先ＵＲＬをＨＴＴＰのＳＭＳ−Ｐｕｓｈ機能により携帯端末５に送信する（ステップＳ２０５）。
携帯端末５のアプリケーション取得部２０２は、管理サーバ７から送信された接続先ＵＲＬを利用してコンテンツ販売サイト８のダウンロードサーバ装置に接続し（ステップＳ２０６）、サービスを利用するために必要なアプリケーションをダウンロードする（ステップＳ２０７）。
【００５４】
なお、ステップＳ２０６で携帯端末５がコンテンツ販売サイト８のダウンロードサーバ装置に接続する際、任意に選択したダウンロード先に接続するようになっていてもよい。例えば、携帯端末５はステップＳ２０５で複数の接続先ＵＲＬを含むＵＲＬリストを受信して自端末のディスプレイに表示する。そして、ユーザが操作キー等の入力装置でダウンロードしたい接続先ＵＲＬを選択すると、選択されたコンテンツ販売サイトのダウンロードサーバ装置に携帯端末５が接続するようになっていてもよい。
【００５５】
（処理シーケンス２）
図９は、他の携帯端末のＳＩＭカードが携帯端末５に差し替えられた場合における処理の一例を示す。
例えば、ＩＭＥＩ＝“α”である携帯端末５’にＩＭＳＩ＝“Ａ”が記録されているＳＩＭカードが挿入されて使用されている場合（ＳＴ１１）、加入者データベース２は、携帯端末５’の端末情報として、「ＩＭＳＩ＝“Ａ”、ＩＭＥＩ＝“α”」を保持している（ステップＳ２１１）。ここで、ＳＩＭカード（ＩＭＳＩ：Ａ）がＩＭＥＩ＝“β”である携帯端末５に差し替えられたとする（ＳＴ１２）。
【００５６】
携帯端末５は自端末にインストールされているアプリケーションによって、ＩＭＳＩ＝“Ａ”であるＳＩＭカードでの携帯端末５の初回起動を検出する（ステップＳ２１２）。この検出を契機として、携帯端末５は管理サーバ７に自端末のＭＳＩＳＤＮを送信する（ステップＳ２１３）。なお、この処理は図８のステップＳ２０１での処理と同様である。以降、図８のステップＳ２０２〜Ｓ２０７での処理と同様の処理が実行される。
【００５７】
（アクセス先情報の登録方法）
図１０は、加入者データベース２のアクセス先情報保持部１０２に保持されているアクセス先情報（図４）の登録方法を示す図である。
管理情報登録用のクライアント装置９は、通信事業者の運用者が使用する端末である。また、操作基盤１０は、運用者向けの操作画面をクライアント装置９に表示させ、運用者の操作画面での入力操作を受け付けるための操作用アプリケーションを提供する装置である。
【００５８】
クライアント装置９は、コンテンツ販売サイト８のサイトサーバにおいて、通信事業者のサービスを提供するためのアプリケーションの登録状況を常時監視しておく（Ｓ２１）。そして、アプリケーションの削除等の変更を発見（検出）した場合（Ｓ２２）、運用者は、クライアント装置９操作キー等の入力装置により、加入者データベース２のアクセス先情報保持部１０２に保持されているアクセス先情報を変更するための入力操作を行う。具体的には、例えばアプリケーションの入手先サーバのＵＲＬを変更する操作等である。
操作基盤１０はこの運用者の入力操作を受け付け、入力内容を加入者データベース２に送信する。そして、加入者データベース２のアクセス先情報保持部は、保持しているアクセス先情報を受信した運用者の入力内容で変更する（Ｓ２３）。
【００５９】
（本実施形態の効果）
本実施形態に係るアプリケーション提供システムによれば、携帯端末５のユーザが契約中の通信事業者のサービスを利用するため必要なアプリケーションを複雑な操作を省いて簡単に入手することができる。つまり、携帯端末においても、簡易な処理で通信事業者のサービスを利用するためのアプリケーションがインストールされるため、処理負荷が軽減される。
【符号の説明】
【００６０】
１  顧客管理システム
２  加入者データベース
３  ＳＭＳＣ（ショートメッセージサービスセンタ）
４  加入者交換機
５  携帯端末
６  パケット交換機
７  管理サーバ
８  コンテンツ販売サイト
９  管理情報登録用クライアント装置
１０  操作基盤
１０１  契約情報保持部
１０２  アクセス先情報保持部
１０３  端末識別情報受信部
１０４  アクセス先情報取得部
１０５  アクセス先情報送信部
１０６  通知部
１０７  契約情報管理部
１０８  通知部
２０１  端末識別情報送信部
２０２  アプリケーション取得部
【図１】
0005520262.tif 000002
【図２】
0005520262.tif 000003
【図３】
0005520262.tif 000004
【図４】
0005520262.tif 000005
【図５】
0005520262.tif 000006
【図６】
0005520262.tif 000007
【図７】
0005520262.tif 000008
【図８】
0005520262.tif 000009
【図９】
0005520262.tif 000010
【図１０】
0005520262.tif 000011